(57)【要約】【課題】膜エレメントを、損傷させることなく、容易にケーシング内から取り出すことが可能な膜モジュールを提供する。【解決手段】膜エレメント３の集束プレート６の外周部がケーシングフランジ１０と集水部材フランジ１３との間に挟み込まれ、複数のボルト１５が上記各フランジ１０，１３と集束プレート６とに形成されたボルト孔６ａ，１０ａ，１３ａに挿入され、各ボルト１５にナット１６が螺合することによって、集水部材フランジ１３と集束プレート６とがケーシングフランジ１０に締結され、集束プレート６に形成された複数のボルト孔６ａのうち、いずれか特定のボルト孔に雌ねじを形成し、複数のボルト１５のうち、いずれかの特定（Ａ）のボルト１５には、集束プレート６の特定のボルト孔の雌ねじに螺合可能な雄ねじ１５ａが形成され、特定（Ａ）のボルト１５はケーシングフランジ１０側から上記各ボルト孔６ａ，１０ａ，１３ａに挿入される。【選択図】  図１３
2004275811.tif 000002
【特許請求の範囲】
【請求項１】
筒状のケーシング内に膜エレメントを充填した膜モジュールであって、上記膜エレメントは、先端を閉塞した管状の複数の膜チューブと、これら膜チューブの基端部を集束固定する集束プレートとで構成され、上記ケーシングの端部に、膜エレメントを出し入れ可能な膜エレメント挿入口と、ケーシングフランジとが設けられ、上記ケーシング内に充填された膜エレメントの各膜チューブの基端開口側を覆う端部部材に、端部部材フランジが設けられ、上記集束プレートの外周部がケーシングフランジと端部部材フランジとの間に挟み込まれ、複数のボルトが上記各フランジと集束プレートの外周部とに形成されたボルト孔に挿入され、上記各ボルトにナットが螺合することによって、端部部材フランジと集束プレートとがケーシングフランジに締結され、上記ケーシングフランジに、ケーシング内の膜エレメントを保持する保持用ボルトが挿入されるケーシング側保持用ボルト孔が形成され、上記集束プレートの外周部に、ケーシング側保持用ボルト孔に挿入された保持用ボルトが螺合可能な雌ねじを備えた集束プレート側保持用ボルト孔が形成されていることを特徴とする膜モジュール。
【請求項２】
筒状のケーシング内に膜エレメントを充填した膜モジュールであって、上記膜エレメントは、先端を閉塞した管状の複数の膜チューブと、これら膜チューブの基端部を集束固定する集束プレートとで構成され、上記ケーシングの端部に、膜エレメントを出し入れ可能な膜エレメント挿入口と、ケーシングフランジとが設けられ、上記ケーシング内に充填された膜エレメントの各膜チューブの基端開口側を覆う端部部材に、端部部材フランジが設けられ、上記集束プレートの外周部がケーシングフランジと端部部材フランジとの間に挟み込まれ、複数のボルトが上記各フランジと集束プレートの外周部とにそれぞれ複数形成されたボルト孔に挿入され、上記各ボルトにナットが螺合することによって、端部部材フランジと集束プレートとがケーシングフランジに締結され、上記集束プレートの外周部に形成された複数のボルト孔のうち、いずれか特定のボルト孔に雌ねじを形成し、上記複数のボルトのうち、少なくともいずれかの特定のボルトには、上記集束プレートの特定のボルト孔の雌ねじに螺合可能な雄ねじが形成されており、上記特定のボルトはケーシングフランジ側から上記各ボルト孔に挿入されていることを特徴とする膜モジュール。
【発明の詳細な説明】
【０００１】
【発明の属する技術分野】
本発明は、筒状のケーシング内に膜エレメントが充填され、ケーシング端部の膜エレメント挿入口から膜エレメントを出し入れする膜モジュールに関する。
【０００２】
【従来の技術】
従来、この種の膜モジュールとしては、例えば、図１６に示すように、筒状のハウジング５１（ケーシング）内に膜エレメント５２（集合体）を充填した膜モジュール５３がある（例えば、特許文献１参照。）。
【０００３】
上記膜エレメント５２は、一端部が封止され他端部が開口したチューブ状膜５４と、これらチューブ状膜５４の他端部を集束固定する目板５５とで構成されている。尚、チューブ状膜５４と目板５５とは熱溶着して一体に固定されている。
【０００４】
また、上記ハウジング５１の一端部には原液流体流入口５６が形成されており、他端開口部５７には装着部５８が形成されている。上記膜エレメント５２は他端開口部５７からハウジング５１へ挿入されており、目板５５の外周部を上記装着部５８に熱溶着することによって、上記膜エレメント５２がハウジング５１内に取付け固定される。
【０００５】
さらに、上記ハウジング５１の他端には、上記チューブ状膜５４の他端開口５４ａ側を覆うキャップ５９が熱溶着されており、このキャップ５９には清浄流体流出口６０が形成されている。
【０００６】
これによると、原液流体流入口５６からハウジング５１内に供給された原液は、各チューブ状膜５４の外側から内側へ透過する際に濾過され、その後、各チューブ状膜５４の他端開口５４ａから清浄流体流出口６０を通って排出される。
【０００７】
【特許文献１】
特開平６−１０６０３４号公報
【０００８】
【発明が解決しようとする課題】
しかしながら上記の従来形式では、ハウジング５１内から膜エレメント５２を取り出して交換する場合、先ず、キャップ５９をハウジング５１から取り外し、次に、目板５５をハウジング５１の装着部５８から取り外す必要があるが、キャップ５９がハウジング５１に一体に溶着され、目板５５が装着部５８に溶着されているため、取り外しが困難であり、無理に取り外そうとすると膜エレメント５２が損傷する恐れがあり、膜エレメント５２の交換には適さないといった構造的な問題がある。
【０００９】
本発明は、膜エレメントを、損傷させることなく、容易にケーシング内から取り出すことが可能な膜モジュールを提供することを目的とする。
【００１０】
【課題を解決するための手段】
上記目的を達成するために、本第１発明は、筒状のケーシング内に膜エレメントを充填した膜モジュールであって、上記膜エレメントは、先端を閉塞した管状の複数の膜チューブと、これら膜チューブの基端部を集束固定する集束プレートとで構成され、上記ケーシングの端部に、膜エレメントを出し入れ可能な膜エレメント挿入口と、ケーシングフランジとが設けられ、上記ケーシング内に充填された膜エレメントの各膜チューブの基端開口側を覆う端部部材に、端部部材フランジが設けられ、上記集束プレートの外周部がケーシングフランジと端部部材フランジとの間に挟み込まれ、複数のボルトが上記各フランジと集束プレートの外周部とに形成されたボルト孔に挿入され、上記各ボルトにナットが螺合することによって、端部部材フランジと集束プレートとがケーシングフランジに締結され、上記ケーシングフランジに、ケーシング内の膜エレメントを保持する保持用ボルトが挿入されるケーシング側保持用ボルト孔が形成され、上記集束プレートの外周部に、ケーシング側保持用ボルト孔に挿入された保持用ボルトが螺合可能な雌ねじを備えた集束プレート側保持用ボルト孔が形成されているものである。
【００１１】
これによると、膜エレメントをケーシング内から取り出す場合、保持用ボルトを、ケーシングフランジ側からケーシング側保持用ボルト孔に挿入して、集束プレート側保持用ボルト孔の雌ねじに螺合させる。これにより、集束プレートが保持用ボルトを介してケーシングフランジに連結され保持される。
【００１２】
その後、各ナットをボルトから取り外し、各ボルトをボルト孔から脱抜することによって、端部部材を取り外す。この際、上記のように集束プレートは保持用ボルトを介してケーシングフランジに連結され保持されているため、膜エレメントが脱落して損傷することはない。
【００１３】
上記のように端部部材だけを取り外した後、膜エレメントが脱落しないように集束プレートを外部から支持した状態で、上記保持用ボルトを回して集束プレート側保持用ボルト孔とケーシング側保持用ボルト孔とから脱抜することによって、集束プレートとケーシングフランジとの連結が解除される。この状態で、膜エレメントを膜エレメント挿入口から引き出すことによって、膜エレメントを、損傷させることなく、容易にケーシング内から取り出すことができる。
【００１４】
次に、本第２発明は、筒状のケーシング内に膜エレメントを充填した膜モジュールであって、上記膜エレメントは、先端を閉塞した管状の複数の膜チューブと、これら膜チューブの基端部を集束固定する集束プレートとで構成され、上記ケーシングの端部に、膜エレメントを出し入れ可能な膜エレメント挿入口と、ケーシングフランジとが設けられ、上記ケーシング内に充填された膜エレメントの各膜チューブの基端開口側を覆う端部部材に、端部部材フランジが設けられ、上記集束プレートの外周部がケーシングフランジと端部部材フランジとの間に挟み込まれ、複数のボルトが上記各フランジと集束プレートの外周部とにそれぞれ複数形成されたボルト孔に挿入され、上記各ボルトにナットが螺合することによって、端部部材フランジと集束プレートとがケーシングフランジに締結され、上記集束プレートの外周部に形成された複数のボルト孔のうち、いずれか特定のボルト孔に雌ねじを形成し、上記複数のボルトのうち、少なくともいずれかの特定のボルトには、上記集束プレートの特定のボルト孔の雌ねじに螺合可能な雄ねじが形成されており、上記特定のボルトはケーシングフランジ側から上記各ボルト孔に挿入されているものである。
【００１５】
これによると、膜エレメントをケーシング内から取り出す場合、各ナットを各ボルトから取り外し、特定のボルト以外のボルトを各ボルト孔から脱抜することによって、端部部材を取り外す。この際、特定のボルトの雄ねじが集束プレートの特定のボルト孔の雌ねじに螺合しているため、集束プレートが特定のボルトを介してケーシングフランジに連結され保持されており、これによって、膜エレメントが脱落して損傷することはない。
【００１６】
上記のように端部部材だけを取り外した後、膜エレメントが脱落しないように集束プレートを外部から支持した状態で、上記特定のボルトを回して集束プレートの特定のボルト孔とケーシングフランジのボルト孔とから脱抜することによって、集束プレートとケーシングフランジとの連結が解除される。この状態で、膜エレメントを膜エレメント挿入口から引き出すことによって、膜エレメントを、損傷させることなく、容易にケーシング内から取り出すことができる。
【００１７】
【発明の実施の形態】
以下、本発明における第１の実施の形態を図１〜図８に基づいて説明する。
図１に示すように、膜モジュール１は、ケーシング２の内部に複数（２個）の膜エレメント３を充填されたものであり、被処理水（被処理流体の一例）を後述する複数の膜チューブ５の外側から内側へ透過させて濾過する外圧式のものである。
【００１８】
上記膜エレメント３は、図４，図５に示すように、先端を閉塞した細い直管状のセラミック（多孔体の一例）製の複数本の膜チューブ５と、これら膜チューブ５の基端部を集束固定して各膜チューブ５を片持状に支持する円板形状の集束プレート６とで構成されている。尚、上記各膜チューブ５は、多数の微細孔を有した膜形成材のみで管壁を成形してなり、管外径１〜６ｍｍφ、管壁肉厚０．１〜０．８ｍｍの形状をなすものであり、所定間隔で平行に配置されている。また、上記各膜チューブ５の基端側は、集束プレート６に形成された複数の貫通孔に挿通され、各膜チューブ５の基端間に充填された接着材層７によって集束プレート６に水密に集束固定されている。尚、上記集束プレート６の外周部には、ケーシング２の長手方向に貫通する複数（図５では１２個）のボルト孔６ａが設けられている。
【００１９】
図１，図２に示すように、上記ケーシング２は、種々の形状を採用できるが、本実施の形態では、一例として直管円筒状のものを挙げている。上記ケーシング２の両端には、上記膜エレメント３を出し入れ可能な膜エレメント挿入口９が形成され、さらに、ケーシング２の両端外周縁にはケーシングフランジ１０が設けられている。このケーシングフランジ１０には、ケーシング２の長手方向に貫通する複数（図２では１２個）のボルト孔１０ａが形成されている。
【００２０】
また、図１，図３に示すように、ケーシング２の両端には、ケーシング２内に充填された膜エレメント３の各膜チューブ５の基端開口５ａ側を覆うキャップ状の集水部材１２（端部部材の一例）が着脱自在に取付けられている。
【００２１】
すなわち、上記集水部材１２の開口端の外周縁には集水部材フランジ１３（端部部材フランジの一例）が設けられている。これら集水部材フランジ１３には、ケーシング２の長手方向に貫通する複数（図３では１２個）のボルト孔１３ａが形成されている。そして、上記集束プレート６の外周部が上記ケーシングフランジ１０と集水部材フランジ１３との間に挟み込まれた状態で、各ボルト孔６ａ，１０ａ，１３ａにボルト１５が挿通され、これらボルト１５にナット１６が螺合することによって、集束プレート６と集水部材フランジ１３とがケーシングフランジ１０に締結され、両膜エレメント３がそれぞれケーシング２内に水平に据付け固定されている。
【００２２】
また、図２に示すように、上記ケーシングフランジ１０には、ケーシング２内の膜エレメント３を保持する保持用ボルト１９が挿入される複数のケーシング側保持用ボルト孔２０が形成されている。上記各ケーシング側保持用ボルト孔２０は、ケーシング２の長手方向に貫通しており、例えば、９０°おきに振り分けられた４箇所に形成されている。
【００２３】
さらに、図４，図５に示すように、上記集束プレート６の外周部には、ケーシング２の長手方向に貫通した複数の集束プレート側保持用ボルト孔２１が形成されている。これら集束プレート側保持用ボルト孔２１は、上記ケーシング側保持用ボルト孔２０と同様に、９０°おきに振り分けられた４箇所に形成されている。また、各集束プレート側保持用ボルト孔２１の内周面には、上記各ケーシング側保持用ボルト孔２０（図２参照）に挿入された保持用ボルト１９が螺合可能な雌ねじ２１ａが形成されている。
【００２４】
尚、図６に示すように、集束プレート６とケーシングフランジ１０との間は一方のパッキン２４によって水密にシールされている。また、集束プレート６と集水部材フランジ１３との間は他方のパッキン２５によって水密にシールされている。
【００２５】
図１に示すように、上記ケーシング２には、両膜エレメント３の間に形成された空間２６に対応する位置に被処理水（被処理流体の一例）を供給する原水供給口２７と、濃縮水排出口２８とが設けられている。
【００２６】
また、上記両集水部材１２の外周上部には、膜エレメント３で濾過された濾過処理水を排出する濾過処理水排出口２９が設けられ、両集水部材１２の外周下部にはドレンを排出するためのドレン排出口３０が設けられている。
【００２７】
以下、上記構成における作用を説明する。
図１に示すように、原水供給口２７からケーシング２内へ供給された被処理水は、各膜チューブ５の外側から内側へ透過する際に濾過され、その後、濾過処理水として膜チューブ５の内部流路５ｂ（図４参照）を通り基端開口５ａから集水部材１２内に流出し、両濾過処理水排出口２９から外部へ排出される。
【００２８】
例えば、膜エレメント３を交換するために、膜エレメント３をケーシング２内から取り出す場合、図６に示すように、各保持用ボルト１９を、ケーシングフランジ１０側からケーシング側保持用ボルト孔２０に挿入して、集束プレート側保持用ボルト孔２１の雌ねじ２１ａに螺合させる。これにより、図７に示すように、集束プレート６が各保持用ボルト１９を介してケーシングフランジ１０に連結され保持される。
【００２９】
その後、各ナット１６を各ボルト１５から取り外し、各ボルト１５を各ボルト孔６ａ，１０ａ，１３ａから脱抜することによって、集水部材１２と他方のパッキン２５とを取り外す。この際、上記のように集束プレート６は複数（４本）の保持用ボルト１９を介してケーシングフランジ１０に連結され保持されているため、膜エレメント３がケーシング２内で脱落して損傷することはない。
【００３０】
上記のように集水部材１２だけを取り外した後、作業者は、膜エレメント３が脱落しないように集束プレート６を外部から支持した状態で、図８に示すように、各保持用ボルト１９を回して集束プレート側保持用ボルト孔２１とケーシング側保持用ボルト孔２０とから脱抜する。これにより、集束プレート６とケーシングフランジ１０との連結が解除される。この状態で、膜エレメント３を膜エレメント挿入口９から引き出すことによって、膜エレメント３を、損傷させることなく、容易にケーシング２内から取り出すことができる。
【００３１】
尚、膜エレメント３をケーシング２内に装着する場合は、上記と逆の手順を行えばよい。
また、上記第１の実施の形態では、膜エレメント３の取り出し時のみ、保持用ボルト１９をケーシング側保持用ボルト孔２０に挿入して集束プレート側保持用ボルト孔２１に螺合しているが、常時、保持用ボルト１９をケーシング側保持用ボルト孔２０に挿入して集束プレート側保持用ボルト孔２１に螺合しておいてもよい。
【００３２】
また、上記第１の実施の形態では、図２，図３，図５に示すように、各ボルト孔６ａ，１０ａ，１３ａをそれぞれ１２個ずつ形成しているが、１２個以外の複数個であってもよい。また、保持用ボルト１９を４本設けるとともに、各保持用ボルト孔２０，２１をそれぞれ４個形成しているが、保持用ボルト１９の数は４本以外の複数本又は単数本でもよく、上記各保持用ボルト孔２０，２１の数も同様である。
【００３３】
上記第１の実施の形態では、図６に示すように、ボルト１５とは別に保持用ボルト１９を設け、また、集束プレート６に、ボルト孔６ａとは別に集束プレート側保持用ボルト孔２１を形成し、さらに、ケーシングフランジ１０に、ボルト孔１０ａとは別にケーシング側保持用ボルト孔２０を形成しているが、次に、図９〜図１４に基づいて説明する第２の実施の形態は、上記保持用ボルト１９および各保持用ボルト孔２０，２１を無くしたものである。
【００３４】
すなわち、図１０，図１１に示すように、集束プレート６の外周部に形成された複数のボルト孔６ａのうち、いずれか特定（Ａ）のボルト孔６ａの内周面に雌ねじ６ｂが形成されている。例えば、図１１に示すように、全部で１２個のボルト孔６ａのうち、９０°おきに振り分けられた４個が上記雌ねじ６ｂを有する特定（Ａ）のボルト孔６ａに設定されている。
【００３５】
また、図１２，図１３に示すように、複数のボルト１５のうち、いずれか特定（Ａ）のボルト１５の外周面には、ナット１６と上記特定（Ａ）のボルト孔６ａの雌ねじ６ｂとに螺合可能な長い範囲の雄ねじ１５ａが形成されている。例えば、図９に示すように、全部で１２本のボルト１５のうち、９０°おきに振り分けられた４本が上記雄ねじ１５ａを有する特定（Ａ）のボルト１５に設定されている。尚、図１３に示すように、特定（Ａ）のボルト１５以外のボルト１５は、ナット１６にのみ螺合可能な短い範囲の雄ねじを有している。
【００３６】
また、上記全ボルト１５は、ケーシングフランジ１０側から各ボルト孔６ａ，１０ａ，１３ａに挿入されている。
以下、上記構成における作用を説明する。
【００３７】
膜エレメント３をケーシング２内から取り出す場合、図１３に示すように、各ナット１６を各ボルト１５から取り外し、特定（Ａ）のボルト１５以外のボルト１５を各ボルト孔６ａ，１０ａ，１３ａから脱抜することによって、集水部材１２と他方のパッキン２５とを取り外す。この際、特定（Ａ）のボルト１５の雄ねじ１５ａが集束プレート６の特定（Ａ）のボルト孔６ａの雌ねじ６ｂ（図１１参照）に螺合しているため、集束プレート６が特定（Ａ）のボルト１５を介してケーシングフランジ１０に連結されて保持され、これにより、膜エレメント３が脱落して損傷することはない。
【００３８】
上記のように集水部材１２だけを取り外した後、膜エレメント３が脱落しないように集束プレート６を外部から支持した状態で、図１４に示すように、上記特定（Ａ）のボルト１５を回して集束プレート６の特定（Ａ）のボルト孔６ａとケーシングフランジ１０のボルト孔１０ａとから脱抜することによって、集束プレート６とケーシングフランジ１０との連結が解除される。この状態で、膜エレメント３を膜エレメント挿入口９から引き出すことによって、膜エレメント３を、損傷させることなく、容易にケーシング２内から取り出すことができる。
【００３９】
尚、膜エレメント３をケーシング２内に装着する場合は、上記と逆の手順を行えばよい。
上記第２の実施の形態では、図１３に示すように、全部で１２本のボルト１５のうち、４本の特定（Ａ）のボルト１５のみに、集束プレート６の特定（Ａ）のボルト孔６ａ（図１１参照）に螺合可能な雄ねじ１５ａを形成しているが、４本の特定（Ａ）のボルト１５に限定されることはなく、全てのボルト１５に上記雄ねじ１５ａを形成してもよい。
【００４０】
上記第２の実施の形態では、図９，図１１に示すように、各ボルト孔６ａ，１０ａ，１３ａをそれぞれ１２個ずつ形成しているが、１２個以外の複数個であってもよい。また、集束プレート６のボルト孔６ａのうち、４個の特定（Ａ）のボルト孔６ａに雌ねじ６ｂを形成しているが、４個以外の複数個又は単数個であってもよい。
【００４１】
上記第１および第２の実施の形態では、図１に示すように、被処理水を膜チューブ５の外側から内側へ透過させて濾過する外圧式の膜モジュール１を用いたが、第３の実施の形態として、図１５に示すように、被処理水を膜チューブ５の内側から外側へ透過させて濾過する内圧式の膜モジュール４１を用いてもよい。この場合、膜モジュール４１には、集水部材１２（図１参照）の代わりに、同一形状の配水部材４２（端部部材の一例）が設けられており、原水供給口２７は上記両配水部材４２に設けられ、濾過処理水排出口２９はケーシング２に設けられている。また、上記配水部材４２には、集水部材フランジ１３（図１参照）の代わりに、同一形状の配水部材フランジ４３（端部部材フランジの一例）が設けられている。
【００４２】
上記各実施の形態では、膜チューブ５の材質にセラミックを用いたが、セラミックに限定されるものではなく、例えば、酢酸セルロースやポリフッ化ビニリデン等の有機性材質のものであってもよい。
【００４３】
上記各実施の形態では、ケーシング２内に膜エレメント３を２個設けているが、１個設けてもよい。
【００４４】
【発明の効果】
以上のように、本発明によると、膜エレメントを、脱落させて損傷させることなく、容易にケーシング内から取り出すことができる。
【図面の簡単な説明】
【図１】本発明の第１の実施の形態における膜モジュールの断面図である。
【図２】同、膜モジュールのケーシングフランジの正面図である。
【図３】同、膜モジュールの集水部材フランジの正面図である。
【図４】同、膜モジュールの膜エレメントの断面図である。
【図５】図４におけるＸ−Ｘ矢視図である。
【図６】同、膜モジュールの膜エレメントをケーシング内から取り出す際の手順を示す断面図である。
【図７】同、膜モジュールの膜エレメントをケーシング内から取り出す際の手順を示す断面図である。
【図８】同、膜モジュールの膜エレメントをケーシング内から取り出す際の手順を示す断面図である。
【図９】本発明の第２の実施の形態における膜モジュールのケーシングフランジの正面図である。
【図１０】同、膜モジュールの膜エレメントの断面図である。
【図１１】図１０におけるＸ−Ｘ矢視図である。
【図１２】同、膜モジュールの膜エレメントをケーシング内から取り出す際の手順を示す断面図である。
【図１３】同、膜モジュールの膜エレメントをケーシング内から取り出す際の手順を示す断面図である。
【図１４】同、膜モジュールの膜エレメントをケーシング内から取り出す際の手順を示す断面図である。
【図１５】本発明の第３の実施の形態における膜モジュールの断面図である。
【図１６】従来の膜モジュールの断面図である。
【符号の説明】
１    膜モジュール
２    ケーシング
３    膜エレメント
５    膜チューブ
５ａ    基端開口
６    集束プレート
６ａ    ボルト孔
６ｂ    雌ねじ
９    膜エレメント挿入口
１０    ケーシングフランジ
１０ａ    ボルト孔
１２    集水部材（端部部材）
１３    集水部材フランジ（端部部材フランジ）
１３ａ    ボルト孔
１５    ボルト
１５ａ    雄ねじ
１６    ナット
１９    保持用ボルト
２０    ケーシング側保持用ボルト孔
２１    集束プレート側保持用ボルト孔
２１ａ    雌ねじ
４２    配水部材（端部部材）
４３    配水部材フランジ（端部部材フランジ）
Ａ    特定
【図１】
2004275811.tif 000003
【図２】
2004275811.tif 000004
【図３】
2004275811.tif 000005
【図４】
2004275811.tif 000006
【図５】
2004275811.tif 000007
【図６】
2004275811.tif 000008
【図７】
2004275811.tif 000009
【図８】
2004275811.tif 000010
【図９】
2004275811.tif 000011
【図１０】
2004275811.tif 000012
【図１１】
2004275811.tif 000013
【図１２】
2004275811.tif 000014
【図１３】
2004275811.tif 000015
【図１４】
2004275811.tif 000016
【図１５】
2004275811.tif 000017
【図１６】
2004275811.tif 000018